(57)【要約】  【課題】相反する方向へ回転する２枚のシャッタ羽根のうち、少なくとも一方を２枚の分割羽根で構成しても、電磁アクチュエータによる閉じ作動が、高速且つ安定して行えるデジタルカメラ用のシャッタ装置を提供すること。  【解決手段】永久磁石製の回転子６に一体化された駆動部材７は、腕部７ａの先端に駆動ピン７ｂを有している。回転子６に回転可能に取り付けられた駆動部材８は、腕部８ａの先端に駆動ピン８ｂを有している。シャッタ羽根３は羽根軸１ｂに、シャッタ羽根４，５は羽根軸１ｃに取り付けられている。駆動ピン７ｂはシャッタ羽根４の長孔４ａに嵌合し、駆動ピン８ｂはシャッタ羽根３，５の長孔３ａ，５ａに嵌合している。そして、二つの駆動部材７，８の間には相反する方向へ回転させるようにねじりコイルばね９がかけられているので、閉じ作動の初期段階では、シャッタ羽根４だけが作動するようになっている。【選択図】  図１
2008026692.tif 000002
【特許請求の範囲】
【請求項１】
撮影光路用の開口部を有する地板と、永久磁石を有していて固定子コイルに対する通電方向に対応して往復回転させられる回転子と、前記回転子に一体化されおり該回転子の略径方向へ延伸した先端部に第１駆動ピンを有している第１駆動手段と、前記回転子と別体であって前記回転子の回転軸を中心にして回転可能に配置されており該回転子の略径方向へ延伸した先端部に第２駆動ピンを有している第２駆動手段と、前記第１駆動手段と前記第２駆動手段とを相対的に反対方向へ回転させるように付勢している付勢手段と、前記第１駆動手段と前記第２駆動手段との相対角度が前記付勢手段の付勢力によって所定角度以上にならないように制限する規制手段と、前記地板に対して回転可能に取り付けられており前記第１駆動手段が回転したとき前記第１駆動ピンによって回転させられる第１羽根と、前記地板に対して回転可能に取り付けられており前記第２駆動手段が前記第１駆動手段と同じ方向へ回転したとき前記第２駆動ピンによって前記第１羽根とは反対方向へ回転させられる第２羽根と、前記地板に対して回転可能に取り付けられており前記第２駆動手段が前記第１駆動手段と同じ方向へ回転したとき前記第２駆動ピンによって前記第２羽根とは反対方向へ同時に回転させられる第３羽根と、を備えていて、前記開口部を閉鎖するときには、前記第１駆動手段と前記第２駆動手段との相対角度が前記所定角度に達するまでは、前記第１駆動手段だけが回転するようにしたことを特徴とするデジタルカメラ用シャッタ装置。
【請求項２】
前記第２羽根は、前記地板に対して前記第１羽根とは別の位置に回転可能に取り付けられており、前記第３羽根は、前記地板に対して前記第１羽根と同じ位置に回転可能に取り付けられていることを特徴とする請求項１に記載のデジタルカメラ用シャッタ装置。
【請求項３】
前記地板に対して前記第２羽根と同じ位置に回転可能に取り付けられており前記第１駆動手段が回転したとき前記第１駆動ピンによって前記第１羽根とは反対方向へ同時に回転させられる第４羽根、を備えていることを特徴とする請求項１又は２に記載のデジタルカメラ用シャッタ装置。
【請求項４】
前記第２駆動手段が、前記回転子に対して回転可能に取り付けられていることを特徴とする請求項１乃至３のいずれかに記載のデジタルカメラ用シャッタ装置。
【請求項５】
前記付勢手段は、ねじりコイルばねであって、その一方の腕部が前記第１駆動手段に掛けられ、他方の腕部が前記第２駆動手段に掛けられていることを特徴とする請求項１乃至４のいずれかに記載のデジタルカメラ用シャッタ装置。
【請求項６】
前記ねじりコイルばねは、そのコイル部が前記回転子に巻回されていることを特徴とする請求項５に記載のデジタルカメラ用シャッタ装置。
【請求項７】
前記第１駆動ピンと前記第２駆動ピンが永久磁石製であって、それらが前記付勢手段を構成するために、それらの対向する面が同極となるように着磁されていることを特徴とする請求項１乃至４のいずれかに記載のデジタルカメラ用シャッタ装置。
【請求項８】
前記第１駆動手段は、前記回転子と共に永久磁石で製作されていることを特徴とする請求項１乃至７のいずれかに記載のデジタルカメラ用シャッタ装置。
【発明の詳細な説明】
【技術分野】
【０００１】
本発明は、デジタルカメラに用いて好適なシャッタ装置に関する。
【背景技術】
【０００２】
最近のデジタルカメラに採用されているシャッタ装置の中には、地板に対して回転可能に取り付けられている２枚のシャッタ羽根を、電磁アクチュエータによって相反する方向へ同時に往復回転させるようにしたものがある。そして、その電磁アクチュエータとしては、低コストで小型化し易い電流制御式の電磁アクチュエータが多く採用されている。この種の電磁アクチュエータに備えられている回転子は、略円柱形（又は略円筒形）をしていて径方向に２極（又は４極）に着磁された永久磁石からなっている。そして、その回転子には、合成樹脂製の駆動手段が一体化されており、回転子の略径方向へ延伸した先端部に駆動ピンを形成しているのが普通であるが、その駆動手段を合成樹脂製とせず、回転子と共に永久磁石で一体成形するようにしたものも知られている。そして、この回転子は、固定子コイルに供給する電流の方向に対応して、所定の回転角度範囲内でだけ往復回転することが可能になっており、最近では、駆動手段に設けられている駆動ピンを、上記の２枚の羽根に直接連結させているのが一般的である。
【０００３】
また、この種の電磁アクチュエータの固定子としては、種々の構成をしたものが知られている。しかしながら、実際に多く実施されているものは、大きく分けると二つのタイプになる。その一つは、二つの脚部の先端を磁極部とした略Ｕ字形のヨークを備えており、その一方の脚部に固定子コイルを巻回し、二つの磁極部を回転子の周面に対向させるように構成したものであり、もう一つは、二つの固定子枠で円柱状の空間に形成された収容室内に回転子を収容し、その収容室を囲むようにして、それらの固定子枠の外側に固定子コイルを巻回するように構成したものである。そして、下記の特許文献１には、夫々の固定子構成を有する二つの電磁アクチュエータが、上記のような駆動ピンによって２枚のシャッタ羽根に開閉作動を行わせるようにしたシャッタ装置が、異なる実施例として記載されている。
【０００４】
他方、最近のデジタルカメラ用シャッタ装置は、カメラの多機能化に伴う構成部材の増加や、カメラの携帯性をよくする観点などから、益々の小型化が要求されているが、このような要求を満足させるためには、上記のような電磁アクチュエータの小型化を図ることはもちろんであるが、露光開口の全開時におけるシャッタ羽根の収容スペースを小さくすることによって、地板を小さくすることも必要になる。そして、シャッタ羽根の収容スペースが小さくて済むようにするためには、上記の２枚のシャッタ羽根のうち少なくとも一方を、２枚に分割された羽根で構成するようにし、全開時においては、それらを相互に大きく重ねて収容できるようにすればよいことが、下記の特許文献２で知られている。また、そのようなシャッタ羽根の構成は、地板を大きくすることなく、露光開口を大きくしたい場合にも有利な構成であるといえる。
【０００５】
本発明は、このように、相反する方向へ同時に回転させられる２枚のシャッタ羽根のうち、少なくとも一方のシャッタ羽根を２枚に分割することによって合計３枚以上とした羽根を、上記のような電磁アクチュエータによって開閉作動させるようにしたデジタルカメラ用のシャッタ装置に関するものである。
【０００６】
【特許文献１】特開２００５−２４１８６６号公報
【特許文献２】特開昭６４−５２６号公報
【発明の開示】
【発明が解決しようとする課題】
【０００７】
特許文献１に記載のシャッタ装置を備えたデジタルカメラの場合、シャッタ羽根は、通常、露光開口を全開にした位置を撮影待機位置（初期位置）としており、撮影は、その状態のままで開始され、シャッタ羽根は、撮影の終了時において閉じ作動をさせられるようになっている。そして、その後、撮像情報が固体撮像素子から記憶装置に転送されると、シャッタ羽根は開き作動をさせられ、撮影待機位置に復帰する。このことからも分かるように、デジタルカメラの場合には、シャッタ羽根にとっては、開き作動よりも閉じ作動の方が重要であるといえる。そして、その閉じ作動は、露光むらや切りむらを生じさせないようにするために、高速且つ安定して行われことが要求されている。
【０００８】
ところで、特許文献１に記載されているような電流制御式の電磁アクチュエータは、上記したように、低コストで小型化し易いのが特徴である。しかしながら、ステップモータと比較すると、起動性に若干難があるため、シャッタ羽根の重量が大きくなれば、それだけ起動性も劣ることになって、シャッタ羽根が閉じ作動を開始してから露光開口を閉鎖するまでの時間が長くかかったり安定しなくなったりしてしまう。他方、シャッタ羽根の方は、シャッタ装置を小型化したり、露光開口を大径化に対応できるようにするために、特許文献２に記載されているように、２枚のシャッタ羽根のうちの少なくとも一方を分割して２枚にすると、それらの分割羽根は、露光開口を閉鎖しているときにはそれらの一部を相互に重ね合わせておく必要があることから、分割しない１枚のときよりも重量は大きくなってしまうことになる。
【０００９】
そのため、特許文献１に記載されているようなシャッタ装置をデジタルカメラに採用するに際して、シャッタ装置の小型化を図ったり、露光開口を大きくしたりするために、特許文献２に記載されているように、２枚のシャッタ羽根のうちの少なくとも一方を分割して２枚にしようとする場合には、羽根の枚数が増えて重量が増えたとしても、その影響を殆ど受けることなく、シャッタ羽根の閉じ作動を高速且つ安定して行えるようにした構成にすることが要求される。
【００１０】
本発明は、このような問題点を解決するためになされたものであり、その目的とするところは、相反する方向へ同時に回転して露光開口の開閉作動を行う２枚のシャッタ羽根のうち、少なくとも一方を２枚の分割羽根で構成したとしても、電磁アクチュエータによって、露光開口の閉じ作動が高速且つ安定して得られるようにしたデジタルカメラ用のシャッタ装置を提供することである。
【課題を解決するための手段】
【００１１】
上記の目的を達成するために、本発明のデジタルカメラ用シャッタ装置は、撮影光路用の開口部を有する地板と、永久磁石を有していて固定子コイルに対する通電方向に対応して往復回転させられる回転子と、前記回転子に一体化されおり該回転子の略径方向へ延伸した先端部に第１駆動ピンを有している第１駆動手段と、前記回転子と別体であって前記回転子の回転軸を中心にして回転可能に配置されており該回転子の略径方向へ延伸した先端部に第２駆動ピンを有している第２駆動手段と、前記第１駆動手段と前記第２駆動手段とを相対的に反対方向へ回転させるように付勢している付勢手段と、前記第１駆動手段と前記第２駆動手段との相対角度が前記付勢手段の付勢力によって所定角度以上にならないように制限する規制手段と、前記地板に対して回転可能に取り付けられており前記第１駆動手段が回転したとき前記第１駆動ピンによって回転させられる第１羽根と、前記地板に対して回転可能に取り付けられており前記第２駆動手段が前記第１駆動手段と同じ方向へ回転したとき前記第２駆動ピンによって前記第１羽根とは反対方向へ回転させられる第２羽根と、前記地板に対して回転可能に取り付けられており前記第２駆動手段が前記第１駆動手段と同じ方向へ回転したとき前記第２駆動ピンによって前記第２羽根とは反対方向へ同時に回転させられる第３羽根と、を備えていて、前記開口部を閉鎖するときには、前記第１駆動手段と前記第２駆動手段との相対角度が前記所定角度に達するまでは、前記第１駆動手段だけが回転するようにする。
【００１２】
その場合、前記第２羽根は、前記地板に対して前記第１羽根とは別の位置に回転可能に取り付けられており、前記第３羽根は、前記地板に対して前記第１羽根と同じ位置に回転可能に取り付けられているようにすると、羽根の取付箇所が少なくて地板を小さくするのに有利となる。また、前記地板に対して前記第２羽根と同じ位置に回転可能に取り付けられており前記第１駆動手段が回転したとき前記第１駆動ピンによって前記第１羽根とは反対方向へ同時に回転させられる第４羽根、を備えているようにすると、さらに地板を小さくするのに有利となる。
【００１３】
また、前記第２駆動手段が、前記回転子に対して回転可能に取り付けられているようにすると、組立上有利になる。また、前記付勢手段は、ねじりコイルばねであって、その一方の腕部が前記第１駆動手段に掛けられ、他方の腕部が前記第２駆動手段に掛けられているようにすると実用的なものとなるが、その場合、前記ねじりコイルばねは、そのコイル部が前記回転子に巻回されているようにすると、組立上有利になる。また、前記第１駆動ピンと前記第２駆動ピンが永久磁石製であって、それらが前記付勢手段を構成するために、それらの対向する面が同極となるように着磁されているようにすると、上記のようなねじりコイルばねが不要になる。更に、本発明の前記第１駆動手段は、前記回転子と共に永久磁石で製作されていてもよい。
【発明の効果】
【００１４】
本発明のシャッタ装置は、その閉じ作動を行うに際し、回転子の回転力が充分に大きくなっていない初期段階においては、第２羽根と第３羽根が回転子に対して負荷とならず、第１羽根だけが直ちに閉じ作動を開始するようにし、その後、露光開口が閉鎖され始め、回転子の回転力が大きくなった段階で、第２羽根と第３羽根も閉じ作動を開始するようにしたので、露光開口の閉じ始めのタイミングが安定すると共に、第１羽根が露光開口を閉じ始めてから露光開口が完全に閉鎖し終わるまでの時間が短くなるという利点があるので、小型のデジタルカメラ用シャッタ装置として極めて有効である。
【発明を実施するための最良の形態】
【００１５】
本発明の実施の形態を、図示した二つの実施例によって説明する。尚、本発明は、シャッタ装置を、絞り装置やフィルタ装置と共に一つのユニットとして構成したものにも適用することができるものであるが、実施例は、いずれも、シャッタ装置を単独でユニット化したものとして説明する。そして、図１〜図５は、実施例１を説明するためのものであり、図６は実施例２を説明するためのものである。
【実施例１】
【００１６】
先ず、実施例１を、図１〜図５を用いて説明するが、図１は、撮影待機状態を示した平面図であり、図２は、シャッタ羽根の閉じ作動の途中の状態を示した平面図であり、図３は、シャッタ羽根の閉じ作動の終了状態を示した平面図である。また、図４（ａ）〜図４（ｆ）は、回転子に対する二つの駆動手段の具体的な取付構成を説明するための図であり、図５（ａ），図５（ｂ）は、主に作動時における二つの駆動手段の相対位置関係を説明するための図である。
【００１７】
そこで、先ず、図１，図４，図５を用いて、本実施例の構成を説明する。地板１は、合成樹脂で比較的厚く形成されていて、円形の開口部１ａと、図示していない後述する円弧状の長孔を有している。この地板１には、図１において手前側に、同じ外形をしたカバー板２が、図示していない適宜な手段によって取り付けられていて、地板１との間に羽根室を構成しているが、そのカバー板２については、羽根室内の構成を分かり易くするために、図１においてだけその一部を示しており、図２及び図３においては図示を省略している。そして、このカバー板２にも、上記の開口部１ａと重なるところに同じ大きさの開口部２ａが形成されている。
【００１８】
地板１には、二つの羽根軸１ｂ，１ｃと三つのストッパ軸１ｄ，１ｅ，１ｆが立設されている。そして、ストッパ軸１ｄの先端は、カバー板２の孔２ｂに挿入されており、他の軸１ｂ，１ｃ，１ｅ，１ｆも、それらの先端を、カバー板２に形成された図示していない孔に各々挿入している。また、羽根室内には、３枚のシャッタ羽根３，４，５が配置されている。それらのうち、一番地板１側に配置されているシャッタ羽根３は、長孔３ａと独特な形状をした孔３ｂを有していて、上記の羽根軸１ｂに回転可能に取り付けられている。また、真中に配置されているシャッタ羽根４は、長孔４ａを有していて、上記の羽根軸１ｃに回転可能に取り付けられている。更に、カバー板２側に配置されているシャッタ羽根５は、長孔５ａと独特な形状をした孔５ｂを有していて、シャッタ羽根４と共に羽根軸１ｃに回転可能に取り付けられている。
【００１９】
地板１の羽根室外の面には、電磁アクチュエータが取り付けられているが、その回転子６は、径方向に２極に着磁された円筒状の永久磁石であって、地板１に立設されている軸１ｇに回転可能に取り付けられている。そこで、その回転子６に一体化されている部材と、その回転子６に取り付けられている部材とを、図４及び図５を用いて具体的に説明する。図４（ａ）の平面図と図４（ｂ）の側面図に示されているように、回転子６は、その軸方向の一端に小径部が形成されていて、そこに合成樹脂材料で駆動部材７が一体成形されている。そして、その駆動部材７には、径方向へ延伸した腕部７ａの先端部に、駆動ピン７ｂとばね掛けピン７ｃが立設されている。
【００２０】
また、図４（ｃ）の平面図と図４（ｄ）の側面図に示したもう一つの駆動部材８は、合成樹脂製であって、環状部から径方向へ延伸している腕部８ａの先端部に、駆動ピン８ｂとばね掛けピン８ｃを立設しており、環状部には規制ピン８ｄを立設している。そして、この駆動部材８は、図４（ｅ）の平面図と図４（ｆ）の側面図に示されているように、その環状部を、回転子６に対して回転可能に嵌合させている。更に、図５に示されているように、回転子６には、駆動部材８の環状部を嵌合させた後に、ねじりコイルばね９が巻回されていて、その一方の腕部を駆動部材７のばね掛けピン７ｃに掛け、他方の腕部を駆動部材８のばね掛けピン８ｃに掛けている。そのため、駆動部材７，８は、そのねじりコイルばね９によって相反する方向へ回転するように付勢されており、図５（ｂ）に示されているように、駆動部材７の腕部７ａが駆動部材８の規制ピン８ｄに当接することによって、相互の角度位置関係が変わらないようになっている。
【００２１】
また、図示していないが、地板１には、上記の軸１ｇを中心にした円弧状の長孔が形成されており、カバー板２には、その長孔と対応するところに同じ形状をした長孔が形成されている。そして、上記の二つの駆動ピン７ｂ，８ｂは、その地板１の長孔から羽根室内に挿入され、それらの先端をカバー板２の長孔に挿入させているが、羽根室内においては、駆動ピン７ｂは、順に、シャッタ羽根３の孔３ｂ，シャッタ羽根４の長孔４ａ，シャッタ羽根５の孔５ｂに挿入され、駆動ピン８ｂは、順に、シャッタ羽根３の長孔３ａ，シャッタ羽根５の長孔５ａに挿入されている。
【００２２】
他方、周知であるから図示していないが、電磁アクチュエータの固定子は、特許文献１の図６及び図７に記載されている構成と実質的に同じである。即ち、略Ｕ字形をしているヨークが、その二つの脚部の先端を磁極部として回転子６の周面に対向させており、一方の脚部に巻回されている固定子コイルに対して順方向に電流が供給されると、図１において、回転子６を反時計方向へ回転させ、その後、逆方向へ電流が供給されると、回転子６を時計方向へ回転させるようになっている。そして、固定子コイルに対して電流を供給していないときには、そのヨークの磁極部と回転子６の磁極との間に作用する永久磁石の吸引力によって、回転子６には、いずれか一方へ回転する力が付与されているように構成されている。
【００２３】
次に、本実施例の作動を説明する。図１は、シャッタ羽根３，４，５が開口部１ａを全開にした撮影待機状態を示したものであるが、このとき、シャッタ羽根４，５は相互の重なりが最大になっている。そして、この状態では、固体撮像素子に被写体光が当たっているため、撮影者は、液晶表示装置で被写体像を観察できるようになっている。また、このとき、固定子のコイルには電流が供給されていないが、上記したように、回転子６は、その永久磁石の磁極と、図示していないヨークの二つの磁極部との相対位置関係によって、時計方向への回転力が付与されている。しかしながら、シャッタ羽根３がストッパ軸１ｅに接触し、シャッタ羽根４，５がストッパ軸１ｆに接触しているため、この停止状態が維持されている。また、この状態においては、回転子に付与されている上記の回転力の方が、図５に示されているねじりコイルばね９の付勢力よりも大きいため、ねじりコイルばね９は緊張させられており、図５（ａ）に示されているように、駆動部材７の腕部７ａは駆動部材８の規制ピン８ｄから離れている。図１においては、このような状態における駆動部材７と駆動部材８の相対的な角度位置関係だけが示されている。
【００２４】
撮影に際してレリーズボタンを押すと、それまで固体撮像素子に蓄積されていた電荷が放出され、その直後から撮影のための電荷の蓄積が開始される。そして、所定の時間が経過すると、固定子コイルに対して順方向の通電が行われる。それによって、回転子６は、図１において反時計方向へ回転を開始するが、その初期段階における回転力は余り大きくない。ところが、本実施例の場合は、図１の状態においては、ねじりコイルばね９の付勢力が、駆動部材７の駆動ピン７ｂを押して、回転子６を反時計方向へ回転させるように作用しているため、回転子６は、反時計方向へ高速且つ安定して回転することが可能になっている。また、この段階では、駆動部材８は、ねじりコイルばね９によって時計方向へ回転するように付勢されているため、シャッタ羽根３，５は回転されず、シャッタ羽根４だけが時計方向へ回転させられることになる。そのため、この段階では、シャッタ羽根４だけが回転子６の負荷になるので、そのことからも、回転子６は、高速且つ安定して回転することが可能になっている。
【００２５】
そして、シャッタ羽根４が、開口部１ａを閉じ始め、図２に示された状態になると、図５（ｂ）に示されているように、駆動部材７の腕部７ａが駆動部材８の規制ピン８ｄに当接する。そのため、この段階になると、それ以後は、腕部７ａによって規制ピン８ｄが押され、図２において駆動部材８が反時計方向へ回転させられるようになるので、それまで回転子６を反時計方向へ回転させるように作用していたねじりコイルばね９の付勢力がなくなる。しかしながら、この段階では、既に回転子６自身の回転力が非常に大きくなっているため、回転子６は好適に回転を続けることになる。また、そのときには、駆動部材８も反時計方向へ回転を開始することになるので、シャッタ羽根３は反時計方向へ回転させられ、シャッタ羽根４とは略反対側から開口部１ａを閉じてゆき、シャッタ羽根５はシャッタ羽根４と共に時計方向へ回転させられていくことになる。そして、開口部１ａが完全に閉鎖されると、その直後に、シャッタ羽根３，４がストッパ軸１ｄに当接することによって、回転子６の回転が停止させられる。図３は、その停止状態を示したものである。
【００２６】
このようにして、シャッタ羽根３，４，５の閉じ作動が終了すると、その直後に、固体撮像素子で光電変換された撮像情報が記憶装置に転送される。その後、固定子コイルに、先ほどとは異なり逆方向の通電が行われるので、回転子６は、駆動部材７と共に、図３において時計方向へ回転させられる。また、このとき、駆動部材７は、その腕部７ａが駆動部材８の規制ピン８ｄから離れる方向へ回転するが、駆動部材７と駆動部材８の間にはねじりコイルばね９が掛けられているので、腕部７ａと規制ピン８ｄは離れることなく、駆動部材８も駆動部材７と共に時計方向へ回転する。それにより、駆動部材７の駆動ピン７ｂは、シャッタ羽根４を反時計方向へ回転させ、駆動部材８の駆動ピン８ｂは、シャッタ羽根３を時計方向へ、シャッタ羽根５を反時計方向へ回転させ、開口部１ａを開放していく。
【００２７】
この開き作動は、その初期段階においては、シャッタ羽根４とシャッタ羽根５の重なり量が変わらない。そのため、先ず、シャッタ羽根３，５が開口部１ａから完全に退いた後に、シャッタ羽根４が退くことになる。そこで、先ず、シャッタ羽根３，５が開口部１ａから完全に退くと、その直後に、シャッタ羽根３はストッパ軸１ｅに当接し、シャッタ羽根５はストッパ軸１ｆに当接する。そのため、駆動部材８はそれ以上回転することができなくなるので、以後、回転子６は、駆動部材７によってねじりコイルばね９を緊張させつつ回転を続け、駆動ピン７ｂによってシャッタ羽根４を反時計方向へ回転させ続ける。そして、シャッタ羽根４が開口部１ａを全開にし、その直後にストッパ軸１ｆに当接したとき、回転子６の回転が停止させられる。その後、固定子コイルに対する通電を断つと、図１の撮影待機状態に復帰したことになる。
【００２８】
尚、本実施例においては、シャッタ羽根４，５を同じ羽根軸１ｃに対して回転可能に取り付けているが、本発明は、異なる羽根軸に取り付け、両方のシャッタ羽根４，５が共に作動しているときには相互の重なり量が変化するようにしても構わない。しかしながら、本実施例のように、同じ羽根軸１ｃに取り付けるようにした方が地板１を小さくするのに有利である。また、本実施例では、相反する方向へ回転する２枚の羽根のうち、一方の羽根だけをシャッタ羽根４，５の２枚に分割して合計３枚にしているが、本実施例のシャッタ羽根３を２枚に分割し、合計４枚とすることも可能である。
【００２９】
また、本実施例の場合には、駆動部材８は、その環状部を回転子６に嵌合させているが、本発明は、そのように構成することに限定されず、駆動部材８の回転軸と回転子６の回転軸とが一致していればよく、例えば、本実施例の軸１ｇの根元側を太くして、そこに駆動部材８を取り付けるようにしても構わない。更に、本実施例の場合には、ねじりコイルばね９は、回転子６に巻回されているが、本発明は、そのような構成に限定されず、地板１の一部、又は地板１と一体的に取り付けられている固定部材に巻回するようにしても構わない。
【実施例２】
【００３０】
次に、実施例２を説明する。上記の実施例１においては、駆動部材７，８を相反する方向へ回転させるように付勢する手段として、ねじりコイルばね９を備えていた。本実施例は、そのねじりコイルばね９に代わって別の付勢手段を備えるようにした例である。そのため、ねじりコイルばね９以外の構成は、実施例１の場合と同じであるから、それらについての構成説明は省略する。また、本実施例の作動も実施例１に準じて行われるので、作動説明も省略する。更に、上記の実施例１の説明において、ねじりコイルばね９の構成以外について説明したことは、全て本実施例にも適用される。
【００３１】
図６は、実施例１を説明するために用いた図５と対比し易いようにして本実施例を示した図である。本実施例の回転子１６は、実施例１の回転子６と全く同じ形状をしている。また、本実施例の駆動部材１７は、実施例１の駆動部材７と同様に、合成樹脂材料で回転子１６に一体成形されており、径方向へ延伸した腕部１７ａの先端部に駆動ピン１７ｂを立設しているが、その駆動ピン１７ｂは、合成樹脂製ではなく、径方向に２極に着磁された永久磁石製であって、腕部１７ａの中心線を磁極の境界線としている。そして、その腕部１７ａの先端部には、ばね掛けピンが立設されていない。
【００３２】
また、本実施例の駆動部材１８は、実施例１の駆動部材８と同様に、合成樹脂製であって、径方向へ延伸した腕部１８ａの先端部に駆動ピン１８ｂを立設し、環状部には規制ピン１８ｃを立設しているが、駆動ピン１８ｂは、合成樹脂製ではなく、径方向に２極に着磁された永久磁石製であって、腕部１８ａの中心線を磁極の境界線としている。そして、図示されているように、この駆動ピン１８ｂのＮ極が、上記の駆動ピン１７ｂのＮ極と対向するようになっている。また、腕部１８ａの先端部には、ばね掛けピンが立設されていない。
【００３３】
この構成からも分かるように、本実施例における付勢手段は、二つの駆動ピン１７ｂ，１８ｂとして構成した各々２極の永久磁石であって、しかも、同じ磁極を対向させるようにして配置したことである。そのため、二つの駆動部材１７，１８には相反する方向へ回転させるような付勢力が与えられていることになる。それによって、実施例１のねじりコイルばね９と同じ役目を果たせることは言うまでもないことであるため、詳細な説明は省略する。このように、本発明の付勢手段は、二つの駆動部材の間にねじりコイルバネを掛けたり、二つの駆動部材の駆動ピンを永久磁石にしたりするほか、二つの駆動部材の腕部間に圧縮ばねを介在させるなど種々の手段がある。
【００３４】
尚、上記の各実施例における電磁アクチュエータは、上記のように、特許文献１の図６及び図７に記載された構成と実質的に同じであることを前提にして説明したが、本発明はその種の電磁アクチュエータを採用したものに限定されず、例えば、特許文献１の図１及び図２に記載された電磁アクチュエータを採用したものにも適用することが可能である。また、この種の電磁アクチュエータには、上記の駆動部材７，１７を、回転子６，１６と共に永久磁石製としたものも知られているが、本発明は、そのように構成したものにも適用される。
【図面の簡単な説明】
【００３５】
【図１】撮影待機状態を示した実施例１の平面図である。
【図２】シャッタ羽根の閉じ作動の途中の状態を示した実施例１の平面図である。
【図３】シャッタ羽根の閉じ作動の終了状態を示した実施例１の平面図である。
【図４】実施例１において、回転子に対する二つの駆動手段の取付構成を説明するための図である。
【図５】実施例１の作動時における二つの駆動手段の相対位置関係を説明するための図である。
【図６】実施例２の作動時における二つの駆動手段の相対位置関係を説明するための図である。
【符号の説明】
【００３６】
１                            地板
１ａ，２ａ                    開口部
１ｂ，１ｃ                    羽根軸
１ｄ，１ｅ，１ｆ              ストッパ軸
１ｇ                          軸
２                            カバー板
２ｂ，３ｂ，５ｂ              孔
３，４，５                    シャッタ羽根
３ａ，４ａ，５ａ              長孔
６，１６                      回転子
７，８，１７，１８            駆動部材
７ａ，８ａ，１７ａ，１８ａ    腕部
７ｂ，８ｂ，１７ｂ，１８ｂ    駆動ピン
７ｃ，８ｃ                    ばね掛けピン
８ｄ，１８ｃ                  規制ピン
９                            ねじりコイルばね
【図１】
2008026692.tif 000003
【図２】
2008026692.tif 000004
【図３】
2008026692.tif 000005
【図４】
2008026692.tif 000006
【図５】
2008026692.tif 000007
【図６】
2008026692.tif 000008